(57)【要約】【課題】ファイルの有効性に関する評価を効率的かつ客観的に実現すること。【解決手段】クライアント端末１０２においてダウンロードしたファイルＦｄｌｉを対応するアプリケーションによりオープンして、ファイルＦｄｌｉ内のデータのコピー操作をおこなう（５０１）。ＯＳ（オペレーティングシステム）は、コピー操作（５０１）にコピーされたデータをクリップボードに転送する（５０２）。エージェントは、その転送を検出し（５０３）、転送元の情報（ファイルパス）を記憶する（５０４）。そのあと、ペースト指示の操作（５０５）があると、アプリケーションは、クリップボードに転送されたデータを他のファイルにペーストする（５０６）。エージェントでは、ペースト指示（５０５）を検出して（５０７）、ファイルパスをてがかりとして、そのときの日付・時刻となるタイムスタンプＳｄｐをファイル情報ＤＢ４００に書き込む（５０８）。【選択図】図５
2007272620.tif 000002
【特許請求の範囲】
【請求項１】
ファイルサーバからダウンロードされたファイルがすでにオープンされたか否かを検出させる検出工程と、
前記検出工程によって検出された検出結果に基づいて前記ファイルに関する評価ポイントを算出させる算出工程と、
前記算出工程によって算出された算出結果を前記ファイルサーバに送信させる送信工程と、
をコンピュータに実行させることを特徴とするファイル評価プログラム。
【請求項２】
ファイルサーバからダウンロードされたファイルがすでにオープンされたか否かを検出させる検出工程と、
前記検出工程によって検出された検出結果に基づいて前記ファイルのオープン回数を計数させるオープン回数計数工程と、
前記オープン回数計数工程によって計数された計数結果を前記ファイルサーバに送信させる送信工程と、
をコンピュータに実行させることを特徴とするファイル評価プログラム。
【請求項３】
ファイルサーバからダウンロードされたファイルがすでにオープンされたか否かを検出させる検出工程と、
前記検出工程によって検出された検出結果に基づいて前記ファイル内のデータのペースト回数を計数させるペースト回数計数工程と、
前記ペースト回数計数工程によって計数された計数結果を前記ファイルサーバに送信させる送信工程と、
をコンピュータに実行させることを特徴とするファイル評価プログラム。
【請求項４】
ファイルサーバからダウンロードされたファイルがすでにオープンされたか否かを検出する検出工程と、
前記検出工程によって検出された検出結果に基づいて前記ファイルに関する評価ポイントを算出する算出工程と、
前記算出工程によって算出された算出結果を前記ファイルサーバに送信する送信工程と、
を含んだことを特徴とするファイル評価方法。
【請求項５】
ファイルサーバからダウンロードされたファイルがすでにオープンされたか否かを検出する検出手段と、
前記検出手段によって検出された検出結果に基づいて前記ファイルに関する評価ポイントを算出する算出手段と、
前記算出手段によって算出された算出結果を前記ファイルサーバに送信する送信手段と、
を備えることを特徴とするファイル評価装置。
【発明の詳細な説明】
【技術分野】
【０００１】
この発明は、ファイルの重要性や有効性を評価するファイル評価装置、ファイル評価方法、およびファイル評価プログラムに関する。
【背景技術】
【０００２】
従来、共有文書として登録されている文書に対し、詳細情報の表示や文書ファイルのダウンロード履歴回数、あるいは参照者からのフィードバック情報を総合的に判定し、有効な共有文書と判断された文書順に検索一覧を表示する文書管理システムが提案されている（たとえば、下記特許文献１を参照。）。
【０００３】
【特許文献１】特開２００６−１１９４７号公報
【発明の開示】
【発明が解決しようとする課題】
【０００４】
しかしながら、上述した従来技術では、膨大な情報の中から有効な文書ファイルを短時間で検索することが困難であるという問題があった。すなわち、回数をもとにダウンロードされたことで有効性を判断するサーバ側のアクションによる評価は本当の有効性を判断しているとはいえない。
【０００５】
また、文書ファイルの有効性を評価する場合、利用者の目的やレベルに依存しており、主観的な評価になりがちであるという問題があった。たとえば、技術情報の文書ファイルである場合、スキルの高い技術者が見たときには有益な情報でも、スキルの低い技術者からは有効でないと判断する場合もあるため、当該文書ファイルの評価が主観的になる。
【０００６】
また、ファイルに対する評価入力をユーザの操作入力に依存するシステムでは、評価入力の有無はユーザの意思により左右されるため、ユーザにとって面倒であるという問題があった。またこれにより、評価されるファイルの数（サンプル数）の増加が期待できないという問題があった。
【０００７】
この発明は、上述した従来技術による問題点を解消するため、ファイルの有効性に関する評価を効率的かつ客観的に実現することができるファイル評価装置、ファイル評価方法、およびファイル評価プログラムを提供することを目的とする。
【課題を解決するための手段】
【０００８】
上述した課題を解決し、目的を達成するため、第１の発明にかかるファイル評価装置、ファイル評価方法、およびファイル評価プログラムは、ファイルサーバからダウンロードされたファイルがすでにオープンされたか否かを検出し、検出結果に基づいて前記ファイルに関する評価ポイントを算出し、算出結果を前記ファイルサーバに送信することを特徴とする。
【０００９】
また、上記発明において、検出結果に基づいて前記ファイルのオープン回数を計数し、計数されたオープン回数に基づいて前記ファイルに関する評価ポイントを算出することとしてもよい。
【００１０】
また、上記発明において、検出結果に基づいて前記ファイル内のデータのペースト回数を計数し、計数されたペースト回数に基づいて前記ファイルに関する評価ポイントを算出することとしてもよい。
【００１１】
また、第２の発明にかかるファイル評価装置、ファイル評価方法、およびファイル評価プログラムは、ファイルサーバからダウンロードされたファイルがすでにオープンされたか否かを検出し、検出結果に基づいて前記ファイルのオープン回数を計数し、計数結果を前記ファイルサーバに送信することを特徴とする。
【００１２】
また、上記発明において、検出結果に基づいて前記ファイル内のデータのペースト回数を計数し、計数結果を前記ファイルサーバに送信することとしてもよい。
【００１３】
また、第３の発明にかかるファイル評価装置、ファイル評価方法、およびファイル評価プログラムは、ファイルサーバからダウンロードされたファイルがすでにオープンされたか否かを検出し、検出結果に基づいて前記ファイル内のデータのペースト回数を計数し、計数結果を前記ファイルサーバに送信することを特徴とする。
【００１４】
また、第４の発明にかかるファイル評価装置、ファイル評価方法、およびファイル評価プログラムは、クライアント端末からダウンロード要求されたファイルを前記クライアント端末に送信し、前記ファイルが前記クライアント端末に送信された結果、当該クライアント端末によって前記ファイルがオープンされたオープン回数を前記クライアント端末から受信し、受信されたオープン回数に基づいて前記ファイルに関する評価ポイントを算出することを特徴とする。
【００１５】
また、上記発明において、前記ファイルが前記クライアント端末に送信された結果、当該クライアント端末によって前記ファイル内のデータがペーストされたペースト回数を前記クライアント端末から受信し、受信されたペースト回数に基づいて前記ファイルに関する評価ポイントを算出することとしてもよい。
【００１６】
また、上記発明において、クライアント端末からダウンロード要求されたファイルを前記クライアント端末に送信し、前記ファイルが前記クライアント端末に送信された結果、当該クライアント端末によって前記ファイル内のデータがペーストされたペースト回数を前記クライアント端末から受信し、受信されたペースト回数に基づいて前記ファイルに関する評価ポイントを算出することとしてもよい。
【００１７】
これらの発明にかかるファイル評価装置、ファイル評価方法、およびファイル評価プログラムは、ダウンロードしたファイルの評価に関する操作入力をユーザに強要することなく、ダウンロードしたファイルの評価を客観的かつ自動的に得ることができる。
【発明の効果】
【００１８】
本発明にかかるファイル評価装置、ファイル評価方法、およびファイル評価プログラムによれば、ファイルの有効性に関する評価を効率的かつ客観的に実現することができるという効果を奏する。
【発明を実施するための最良の形態】
【００１９】
以下に添付図面を参照して、この発明にかかるファイル評価装置、ファイル評価方法、およびファイル評価プログラムの好適な実施の形態を詳細に説明する。なお、この実施の形態における説明内容は、後述する各実施の形態１，２に共通する内容である。
【００２０】
（実施の形態）
（ファイル評価システムのシステム構成）
まず、この発明の実施の形態にかかるファイル評価システムのシステム構成について説明する。図１は、この発明の実施の形態にかかるファイル評価システムのシステム構成図である。
【００２１】
ファイル評価システム１００は、ファイルサーバ１０１とクライアント端末１０２とがＬＡＮ，ＷＡＮ、インターネットなどのネットワーク１１０を介して通信可能に接続されている。ファイルサーバ１０１は、ファイルＤＢ１０３と評価ポイントＤＢ１０５とを有するコンピュータ装置である。ファイルＤＢ１０３は、各種ファイルを記憶する。ファイルは、文書や画像、動画像などが記述された電子データである。
【００２２】
評価ポイントＤＢ１０５は、ファイルＤＢ１０３の各ファイルに関連付けられており、ファイルごとに累積された評価ポイント（累積評価ポイント）を記憶する。評価ポイントは、ファイルの有効性の指標となる値である。
【００２３】
ファイルサーバ１０１は、クライアント端末１０２からファイルのダウンロード要求を受け付けると、要求元のクライアント端末１０２にダウンロード要求のあったファイルを送信する。また、クライアント端末１０２から送信されてくる評価ポイントなどの各種データにより、各ファイルの累積評価ポイントを更新する。
【００２４】
また、クライアント端末１０２は、ファイルサーバ１０１と通信可能なコンピュータ装置である。クライアント端末１０２は、ファイルサーバ１０１から所望のファイルをダウンロードする。クライアント端末１０２では、ユーザ操作により、ダウンロードしたファイルをアプリケーションによりオープンし、内容の更新、参照、印刷、電子メール送信、コピー、ペーストをおこなう。また、クライアント端末１０２は、ファイル情報ＤＢ１０４を有する。ファイル情報ＤＢ１０４の記憶内容については後述する。
【００２５】
（コンピュータ装置のハードウェア構成）
つぎに、図１に示したコンピュータ装置（ファイルサーバ１０１、クライアント端末１０２）のハードウェア構成について説明する。図２は、図１に示したコンピュータ装置のハードウェア構成を示すブロック図である。
【００２６】
図２において、コンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、Ｉ／Ｆ（インターフェース）２０９と、キーボード２１０と、マウス２１１と、スキャナ２１２と、プリンタ２１３と、を備えている。また、各構成部はバス２００によってそれぞれ接続されている。
【００２７】
ここで、ＣＰＵ２０１は、コンピュータ装置の全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００２８】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記憶されたデータをコンピュータ装置に読み取らせたりする。
【００２９】
また、着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイ２０８は、カーソル、アイコンあるいはツールボックスをはじめ、文書、画像、機能情報などのデータを表示する。このディスプレイ２０８は、たとえば、ＣＲＴ、ＴＦＴ液晶ディスプレイ、プラズマディスプレイなどを採用することができる。
【００３０】
Ｉ／Ｆ２０９は、通信回線を通じてインターネットなどのネットワーク１１０に接続され、このネットワーク１１０を介して他の装置に接続される。そして、Ｉ／Ｆ２０９は、ネットワーク１１０と内部のインターフェースを司り、外部装置からのデータの入出力を制御する。Ｉ／Ｆ２０９には、たとえばモデムやＬＡＮアダプタなどを採用することができる。
【００３１】
キーボード２１０は、文字、数字、各種指示などの入力のためのキーを備え、データの入力をおこなう。また、タッチパネル式の入力パッドやテンキーなどであってもよい。マウス２１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００３２】
スキャナ２１２は、画像を光学的に読み取り、コンピュータ装置内に画像データを取り込む。なお、スキャナ２１２は、ＯＣＲ機能を持たせてもよい。また、プリンタ２１３は、画像データや文書データを印刷する。プリンタ２１３には、たとえば、レーザプリンタやインクジェットプリンタを採用することができる。
【００３３】
（評価ポイントＤＢ１０５の記憶内容）
つぎに、図１に示したファイルサーバ１０１の評価ポイントＤＢ１０５の記憶内容について説明する。図３は、図１に示したファイルサーバ１０１の評価ポイントＤＢ１０５の記憶内容を示す説明図である。評価ポイントＤＢ１０５は、ファイルＦｊ（ｊ＝１〜ｍ）ごとに累積評価ポイントＰｊを記憶する。累積評価ポイントＰｊは、ファイルＦｊについて評価ポイントが得られる都度、ファイルサーバ１０１によって更新される。
【００３４】
（実施の形態１）
つぎに、この発明の実施の形態１について説明する。実施の形態１は、クライアント端末をファイル評価装置とした場合の形態である。すなわち、ダウンロードしたファイルの評価ポイントをクライアント端末１０２ごとに生成する形態である。
【００３５】
（ファイル情報ＤＢ１０４の記憶内容）
まず、実施の形態１にかかるファイル情報ＤＢの記憶内容について説明する。図４は、実施の形態１にかかるファイル情報ＤＢの記憶内容を示す説明図である。図４において、ファイル情報ＤＢ４００には、ダウンロードしたファイルＦｄｌｉごとに、ファイル情報ＦＤｉを記憶する。ファイルＦｄｌｉは、クライアント端末１０２によってファイルサーバ１０１からダウンロードされたファイルＦｊである。
【００３６】
ファイル情報ＦＤｉは、ダウンロード情報と、ファイルオープン情報と、データペースト情報と、累積評価ポイントＰａと、を有する。ファイル情報ＦＤｉは、ファイルＦｄｌｉがダウンロードされることにより生成される。ダウンロード情報は、ダウンロードしたときの日付・時刻をあらわすタイムスタンプＳｄｌである。
【００３７】
ファイルオープン情報は、オープンフラグｆｏｐとタイムスタンプＳｏｐとを有する。オープンフラグｆｏｐは、ダウンロードしたファイルＦｄｌｉが１回でもオープンされた場合、「１」に設定される。すなわち、ダウンロードしてから一度もオープンされていない場合には、「０」のままである。
【００３８】
また、タイムスタンプＳｏｐは、ファイルＦｄｌｉをオープンしたときの日付・時刻をあらわしている。タイムスタンプＳｏｐは、ファイルＦｄｌｉがオープンされる都度記憶される。すなわち、オープンフラグｆｏｐが「０」の場合、タイムスタンプＳｏｐはない。
【００３９】
データペースト情報は、ペーストフラグｆｄｐとタイムスタンプＳｄｐとを有する。ペーストフラグｆｄｐは、ダウンロードしたファイルＦｄｌｉが、他のファイルＦｄｌｋ（ｋ≠ｉ）に、１回でもペーストされた場合、「１」に設定される。すなわち、ダウンロードしてから一度もオープンされていない場合、またはオープンされても一度もペーストされていない場合は、「０」のままである。
【００４０】
また、タイムスタンプＳｄｐは、ファイルＦｄｌｉをペーストしたときの日付・時刻をあらわしている。タイムスタンプＳｄｐは、ファイルＦｄｌｉがペーストされる都度記憶される。すなわち、ペーストフラグｆｄｐが「０」の場合、タイムスタンプＳｄｐはない。
【００４１】
累積評価ポイントＰａｉには、まず、ダウンロードされると、ダウンロードしたことを評価する評価ポイントＰｄｌが設定され、そのあと、エージェントによるクライアント端末１０２の操作行為の監視により、操作行為に応じた評価ポイントが加算される。
【００４２】
（データペースト検出処理）
ここで、データペーストの検出処理について説明する。図５は、データペーストの検出処理を示す説明図である。まず、クライアント端末１０２においてダウンロードしたファイルＦｄｌｉを対応するアプリケーションによりオープンして、ファイルＦｄｌｉ内のデータのコピー操作をおこなう（５０１）。ＯＳ（オペレーティングシステム）は、コピー操作（５０１）にコピーされたデータをクリップボードに転送する（５０２）。
【００４３】
エージェントは、その転送を検出し（５０３）、転送元の情報（ファイルパス）を記憶する（５０４）。そのあと、ペースト指示の操作（５０５）があると、アプリケーションは、クリップボードに転送されたデータを他のファイルにペーストする（５０６）。エージェントでは、ペースト指示（５０５）を検出して（５０７）、ファイルパスをてがかりとして、そのときの日付・時刻となるタイムスタンプＳｄｐをファイル情報ＤＢ４００に書き込む（５０８）。
【００４４】
（ファイルサーバ１０１の機能的構成）
つぎに、実施の形態１にかかるファイルサーバ１０１の機能的構成について説明する。図６は、実施の形態１にかかるファイルサーバ１０１の機能的構成を示すブロック図である。図６において、ファイルサーバ１０１は、ファイル抽出部６０１と、ファイル送信部６０２と、ポイント受信部６０３と、ポイント更新部６０４と、ポイント抽出部６０５と、ポイント送信部６０６と、から構成されている。
【００４５】
ファイル抽出部６０１は、クライアント端末１０２からダウンロード要求されたファイルＦｊをファイルＦＢ１０３から抽出する。ファイル送信部６０２は、ダウンロード要求元のクライアント端末１０２に、ダウンロード要求されたファイルＦｊを送信する。これにより、ファイルＦｊがクライアント端末１０２にダウンロードされる。
【００４６】
ポイント受信部６０３は、クライアント端末１０２から送信されてくるファイルＦｄｌｉの評価ポイントを受信する。ポイント更新部６０４は、ポイント受信部６０３によって受信された評価ポイントを、そのファイルＦｄｌｉに該当するファイルＦｊの累積評価ポイントＦｊに加算する。これにより、累積評価ポイントＰｊが更新される。
【００４７】
また、ポイント抽出部６０５は、クライアント端末１０２から要求されたファイルＦｊの累積評価ポイントＰｊを抽出する。ポイント送信部６０６は、ポイント抽出部６０５によって抽出された累積評価ポイントＰｊを、要求元のクライアント端末１０２に送信する。これにより、クライアント端末１０２でファイルＦｊの有効性を確認することができる。
【００４８】
（クライアント端末１０２の機能的構成）
つぎに、実施の形態１にかかるクライアント端末１０２の機能的構成について説明する。図７は、実施の形態１にかかるクライアント端末１０２の機能的構成を示すブロック図である。図７において、クライアント端末１０２は、ファイル取得部７０１と、検出部７０２と、オープン回数計数部７０３と、ペースト回数計数部７０４と、算出部７０５と、ポイント送信部７０６とから構成されている。
【００４９】
まず、ファイル取得部７０１は、ファイルサーバ１０１に所望するファイルＦｊのダウンロード要求をし、ファイルサーバ１０１から送信されてくるファイルＦｊを受信する。これにより、ファイルＦｊがファイルサーバ１０１からダウンロードされる。
【００５０】
なお、ファイル取得部７０１により、ファイルＦｊがダウンロードされると、ファイル情報ＤＢ４００にあらたなファイル情報ＦＤｉが作成される。すなわち、ファイルＦｊは、クライアント端末１０２ではｉ番目にダウンロードされたファイルＦｄｌｉとして認識される。このとき、ファイルＦｄｌｉの評価ポイントＰａは、ダウンロードされたことを評価する評価ポイントＰｄｌとなる。
【００５１】
検出部７０２は、ファイルサーバ１０１からダウンロードされたファイルがすでにオープンされたか否かを検出する。具体的には、ファイル情報ＤＢ４００内のオープンフラグｆｏｐが「１」に設定されているか否かを検出する。
【００５２】
また、オープン回数計数部７０３は、ファイルＦｄｌｉのオープン回数を計数する。具体的には、たとえば、ファイル情報ＤＢ４００内のファイルオープン情報のタイムスタンプＳｏｐの数をオープン回数として計数する。
【００５３】
また、図５に示したエージェントによりファイルＦｄｌｉの監視期間が設定されている場合には、当該期間内に記録されたタイムスタンプＳｏｐの数をオープン回数として計数する。また、エージェントが定期的に起動を繰り返す場合、エージェントが前回起動終了してから今回起動したときまでの期間内に記録されたタイムスタンプＳｏｐの数をオープン回数として計数することとしてもよい。
【００５４】
ペースト回数計数部７０４は、ファイルＦｄｌｉのペースト回数を計数する。具体的には、たとえば、ファイル情報ＤＢ４００内のデータペースト情報のタイムスタンプＳｄｐの数をペースト回数として計数する。
【００５５】
また、図５に示したエージェントによりファイルＦｄｌｉの監視期間が設定されている場合には、当該期間内に記録されたタイムスタンプＳｄｐの数をペースト回数として計数する。また、エージェントが定期的に起動を繰り返す場合、エージェントが前回起動終了してから今回起動したときまでの期間内に記録されたタイムスタンプＳｄｐの数をペースト回数として計数することとしてもよい。
【００５６】
算出部７０５は、ファイルＦｄｌｉに対する評価ポイントを算出する。具体的には、クライアント端末１０２での操作行為ごとに設定された評価ポイントを加算する。操作行為とは、たとえば、ダウンロードの有無、ファイルＦｄｌｉのオープンの有無、ファイルＦｄｌｉのオープン回数、ファイルＦｄｌｉのペースト回数である。
【００５７】
たとえば、ファイルＦｄｌｉについて、ダウンロードされたことを評価する評価ポイントをＰｄｌとすると、ファイル情報ＦＤｉには下記式（１）により評価ポイントが設定されている。
【００５８】
Ｐａｉ＝Ｐｄｌ・・・（１）
【００５９】
また、ファイルＦｄｌｉのオープン回数をｎｏｐとし、ファイルＦｄｌｉを１回オープンした場合について加算される評価ポイントをＰｏｐとすると、下記式（２）により評価ポイントが更新される。なお、下記式（２）で、１回のみのオープンを評価したい場合には、オープン回数ｎｏｐがｎｏｐ≧２であっても、オープン回数ｎｏｐをｎｏｐ＝１とすればよい。
【００６０】
Ｐａｉ＝Ｐａｉ＋ｎｏｐ×Ｐｏｐ・・・（２）
【００６１】
また、ファイルＦｄｌｉのペースト回数をｎｄｐとし、ファイルＦｄｌｉ内のデータを１回ペーストした場合について加算される評価ポイントをＰｄｐとすると、下記式（３）により評価ポイントが更新される。なお、下記式（３）で、１回のみのペーストを評価したい場合には、ペースト回数ｎｄｐがｎｄｐ≧２であっても、ペースト回数ｎｄｐをｎｄｐ＝１とすればよい。
【００６２】
Ｐａｉ＝Ｐａｉ＋ｎｄｐ×Ｐｄｐ・・・（３）
【００６３】
ポイント送信部７０６は、算出部７０５によって加算された評価ポイントをファイルサーバ１０１に送信する。送信タイミングは、算出される都度送信してもよく、また、エージェントにより設定されたファイルＦｄｌｉの監視期間経過時に送信することとしてもよい。また、エージェントが定期的に起動を繰り返す場合、エージェントの起動ごとに送信することとしてもよい。
【００６４】
なお、上述した各機能的構成は、具体的には、たとえば、図２に示したＲＯＭ２０２，ＲＡＭ２０３，ＨＤ２０５などの記録媒体に記録されているプログラムを、ＣＰＵ２０１に実行させることによって、またはＩ／Ｆ２０９によって、その機能を実現する。
【００６５】
（ファイルサーバ１０１の動作処理手順）
つぎに、実施の形態１にかかるファイルサーバ１０１の動作処理手順について説明する。図８は、実施の形態１にかかるファイルサーバ１０１の動作処理手順を示すフローチャートである。図８において、ファイルＦｄｌｉについての評価ポイントＰａｉが受信されたか否かを判断する（ステップＳ８０１）。受信されない場合（ステップＳ８０１：Ｎｏ）、ステップＳ８０３に移行する。
【００６６】
一方、受信された場合（ステップＳ８０１：Ｙｅｓ）、ファイルＦｄｌｉに該当するファイルＦｊの累積評価ポイントＰａｉを加算する（ステップＳ８０２）。そして、加算後の累積評価ポイントＰｊを評価ポイントＤＢ１０５に記憶することで累積評価ポイントＰｊが更新される。
【００６７】
このあと、クライアント端末１０２から累積評価ポイントＰｊの送信要求があるか否かを判断する（ステップＳ８０３）。送信要求がない場合（ステップＳ８０３：Ｎｏ）、ステップＳ８０１に戻る。一方、送信要求があった場合（ステップＳ８０３：Ｙｅｓ）、要求されたファイルＦｊの累積評価ポイントＰｊを評価ポイントＤＢ１０５から抽出する（ステップＳ８０４）。そして、抽出された累積評価ポイントＰｊを要求元のクライアント端末１０２に送信する（ステップＳ８０５）。これにより、一連の処理を終了する。
【００６８】
このファイルサーバ１０１の動作処理手順によれば、各ファイルＦｊの累積評価ポイントＰｊを最新の状態に更新することができ、クライアント端末１０２から各ファイルＦｊの累積評価ポイントを参照することで、ファイルＦｊの有効性を確認することができる。
【００６９】
（クライアント端末１０２の動作処理手順）
つぎに、実施の形態１にかかるクライアント端末１０２の動作処理手順について説明する。図９は、実施の形態１にかかるクライアント端末１０２の動作処理手順を示すフローチャートである。
【００７０】
まず、エージェントが起動するまで待ち受け（ステップＳ９０１：Ｎｏ）、エージェントが起動された場合（ステップＳ９０１：Ｙｅｓ）、あらたにダウンロードされたファイルがあるか否かを判断する（ステップＳ９０２）。あらたにダウンロードされたファイルＦｄｌｉがない場合（ステップＳ９０２：Ｎｏ）、ステップＳ９０４に移行する。
【００７１】
あらたにダウンロードされたファイルＦｄｌｉがある場合（ステップＳ９０２：Ｙｅｓ）、ファイルＦｄｌｉのファイル情報をあらたに生成する（ステップＳ９０３）。このとき、ダウンロードに関する評価ポイントＰｄｌを初期の評価ポイントＰａｉとして設定する。
【００７２】
そして、ファイル情報があるか否かを判断する（ステップＳ９０４）。ファイル情報ＦＤがない場合（ステップＳ９０４：Ｎｏ）、エージェントを終了する（ステップＳ９１０）。
【００７３】
一方、ファイル情報ＦＤがある場合（ステップＳ９０４：Ｙｅｓ）、ｉ＝１とし（ステップＳ９０５）、ファイル情報ＤＢ４００からファイル情報ＦＤｉを抽出する（ステップＳ９０６）。そして、ファイル評価処理を実行する（ステップＳ９０７）。そして、ｉ＝ｎでない場合（ステップＳ９０８：Ｎｏ）、ｉをインクリメントし（ステップＳ９０９）、ステップＳ９０６に戻って、つぎのファイル情報ＦＤｉを抽出する。一方、ｉ＝ｎである場合（ステップＳ９０８：Ｙｅｓ）、エージェントを終了する（ステップＳ９１０）。
【００７４】
（ファイル評価処理手順）
つぎに、実施の形態１にかかるファイル評価処理手順について説明する。図１０は、実施の形態１にかかるファイル評価処理手順を示すフローチャートである。図１０において、Ｔ＞Ｔ１か否かを判断する（ステップＳ１００１）。ここで、Ｔとは、ファイルＦｄｌｉがダウンロードされてから現在までの時間である。また、Ｔ１は所定の期間であり、たとえば、３０日とする。
【００７５】
Ｔ＞Ｔ１である場合（ステップＳ１００１：Ｙｅｓ）、オープンフラグｆｏｐ＝１であるか否かを判断する（ステップＳ１００２）。オープンフラグｆｏｐ＝０である場合（ステップＳ１００２：Ｎｏ）、一度のファイルオープンされていないこととなるため、ダウンロードに関する評価ポイントＰｄｌ分減算する（ステップＳ１００３）。これにより、累積評価ポイントＰａｉはＰａｉ＝０となる。
【００７６】
一方、オープンフラグｆｏｐ＝１である場合（ステップＳ１００２：Ｙｅｓ）、またはステップＳ１００１においてＴ＞Ｔ１でない場合（ステップＳ１００１：Ｎｏ）、Ｔ＞Ｔ２であるか否かを判断する（ステップＳ１００４）。ここで、Ｔ２はＴ２＞Ｔ１であり、エージェントによる監視期間の上限を規定している。
【００７７】
Ｔ＞Ｔ２でない場合（ステップＳ１００４：Ｎｏ）、ファイルオープン回数ｎｏｐをファイル情報ＦＤｉから計数する（ステップＳ１００５）。そして、ファイルオープンに関する評価ポイントＰｏｐにファイルオープン回数ｎｏｐを乗じた値を、累積評価ポイントＰａｉに加算する（ステップＳ１００６）。
【００７８】
また、データペースト回数ｎｄｐをファイル情報ＦＤｉから計数する（ステップＳ１００７）。そして、データペーストに関する評価ポイントＰｄｐにデータペースト回数ｎｄｐを乗じた値を、累積評価ポイントＰａｉに加算する（ステップＳ１００８）。そして、加算後の累積評価ポイントＰａｉをファイル情報ＦＤｉに更新する（ステップＳ１００９）。このあと、ステップＳ９０８に移行する。
【００７９】
一方、Ｔ＞Ｔ２である場合（ステップＳ１００４：Ｙｅｓ）、監視期間Ｔ２を経過したこととなるため、累積評価ポイントＰａｉをファイルサーバ１０１に送信する（ステップＳ１０１０）。そして、当該ファイル情報ＦＤｉをファイル情報ＤＢ４００から削除する（ステップＳ１０１１）。このあと、ステップＳ９０８に移行する。
【００８０】
このように、上述した実施の形態１によれば、クライアント端末１０２における操作行為によりダウンロードしたファイルの評価ポイントを自動算出することとしているため、クライアント端末１０２のユーザが別途ファイルの評価に関する入力操作を行う必要がなく、ユーザの操作行為に応じたファイルの評価を自動的にアップロードすることができる。
【００８１】
したがって、ファイルサーバ１０１には、各クライアント端末１０２からの評価ポイントが収集されるため、Ｗｅｂサイトなどからネットワークを通じて情報（ドキュメント）の利用者に対して提供することができ、ファイル検索の効率化を図ることができる。
【００８２】
（実施の形態２）
つぎに、この発明の実施の形態２について説明する。実施の形態２は、ファイルサーバ１０１をファイル評価装置とした場合の形態である。すなわち、各クライアント端末１０２によってダウンロードされたファイルの操作行為を吸い上げて、ファイル評価装置であるファイルサーバ１０１において各ファイルの評価ポイントを算出する形態である。なお、実施の形態１と同一箇所については同一符号を付しその説明を省略する。
【００８３】
（ファイル情報ＤＢの記憶内容）
図１１は、実施の形態２にかかるファイル情報ＤＢ１１００の記憶内容を示す説明図である。図１１において、ファイルオープン情報には、さらに、累積オープン回数Ｎｏｐｉと累積ペースト回数Ｎｄｐｉが記憶されている。なお、実施の形態１のファイル情報ＤＢ４００と違い、累積評価ポイントは記憶されない。
【００８４】
累積オープン回数Ｎｏｐｉは、ファイルＦｄｌｉについてエージェントが起動する都度計数されるファイルオープン回数ｎｏｐの積算値である。同様に、累積ペースト回数Ｎｄｐｉは、ファイルＦｄｌｉについてエージェントが起動する都度計数されるデータペースト回数ｎｄｐの積算値である。
【００８５】
（ファイルサーバ１０１の機能的構成）
図１２は、ファイルサーバ１０１の機能的構成を示すブロック図である。図１２において、ファイルサーバ１０１は、図６に示した構成のほか、回数情報受信部１２０１と、算出部１２０２と、ポイント更新部１２０３と、を有する。回数情報受信部１２０１は、クライアント端末１０２から累積オープン回数や累積ペースト回数などの回数情報を受信する。
【００８６】
算出部１２０２は、受信された回数情報に基づいて、ファイルごとの評価ポイントを算出する。算出手法は、実施の形態１（式（１）〜（３）を参照）と同様であるため省略する。ポイント更新部１２０３は、算出されたファイルＦｊの評価ポイントを評価ポイントＤＢ１０５の累積評価ポイントＰｊに加算することで更新する。
【００８７】
（クライアント端末１０２の機能的構成）
図１３は、クライアント端末１０２の機能的構成を示すブロック図である。実施の形態２では、評価ポイントの算出は、ファイルサーバ１０１の算出部１２０２により実行する。したがって、オープン回数計数部７０３によって計数されたオープン回数およびペースト回数計数部７０４によって計数されたペースト回数を回数情報としてファイルサーバ１０１に送信する回数情報送信部を有する。
【００８８】
（ファイルサーバ１０１の動作処理手順）
つぎに、実施の形態２にかかるファイルサーバ１０１の動作処理手順について説明する。図１４は、実施の形態２にかかるファイルサーバ１０１の動作処理手順を示すフローチャートである。図１４において、ファイルＦｄｌｉについての回数情報が受信されたか否かを判断する（ステップＳ１４０１）。受信されない場合（ステップＳ１４０１：Ｎｏ）、ステップＳ１４０４に移行する。
【００８９】
一方、受信された場合（ステップＳ１４０１：Ｙｅｓ）、ファイルＦｄｌｉの評価ポイントＰａｉを算出する（ステップＳ１４０２）。そして、ファイルＦｄｌｉに該当するファイルＦｊの累積評価ポイントＰｊに評価ポイントＰａｉを加算する（ステップＳ１４０３）。そして、加算後の累積評価ポイントＰｊを評価ポイントＤＢ１０５に記憶することで累積評価ポイントＰｊが更新される。
【００９０】
このあと、クライアント端末１０２から累積評価ポイントＰｊの送信要求があるか否かを判断する（ステップＳ１４０４）。送信要求がない場合（ステップＳ１４０４：Ｎｏ）、ステップＳ１４０１に戻る。一方、送信要求があった場合（ステップＳ１４０４：Ｙｅｓ）、要求されたファイルＦｊの累積評価ポイントＰｊを評価ポイントＤＢ１０５から抽出する（ステップＳ１４０５）。そして、抽出された累積評価ポイントＰｊを要求元のクライアント端末１０２に送信する（ステップＳ１４０６）。これにより、一連の処理を終了する。
【００９１】
（ファイル評価処理手順）
つぎに、実施の形態２にかかるファイル評価処理手順について説明する。なお、クライアント端末１０２の動作処理手順については、図９に示したフローチャートと同一であるためその説明を省略する。図１５は、実施の形態２にかかるファイル評価処理手順を示すフローチャートである。
【００９２】
図１５において、まず、Ｔ＞Ｔ１か否かを判断する（ステップＳ１５０１）。Ｔ＞Ｔ１である場合（ステップＳ１５０１：Ｙｅｓ）、オープンフラグｆｏｐ＝１であるか否かを判断する（ステップＳ１５０２）。オープンフラグｆｏｐ＝０である場合（ステップＳ１５０２：Ｎｏ）、一度もファイルオープンされていないこととなるため、ステップＳ１５０８に移行する。
【００９３】
一方、オープンフラグｆｏｐ＝１である場合（ステップＳ１５０２：Ｙｅｓ）、Ｔ＞Ｔ２であるか否かを判断する（ステップＳ１５０３）。Ｔ＞Ｔ２でない場合（ステップＳ１５０３：Ｎｏ）、ファイルオープン回数ｎｏｐをファイル情報ＦＤｉから計数する（ステップＳ１５０４）。そして、累積オープン回数Ｎｏｐを更新する（ステップＳ１５０５）。
【００９４】
また、データペースト回数ｎｄｐをファイル情報ＦＤｉから計数する（ステップＳ１５０６）。そして、累積ペースト回数Ｎｄｐを更新する（ステップＳ１５０７）。そして、ステップＳ９０８に移行する。
【００９５】
一方、Ｔ＞Ｔ２である場合（ステップＳ１５０３：Ｙｅｓ）、監視期間Ｔ２を経過したこととなるため、回数情報をファイルサーバ１０１に送信する（ステップＳ１５０８）。そして、当該ファイル情報ＦＤｉをファイル情報ＤＢ１１００から削除する（ステップＳ１５０９）。このあと、ステップＳ９０８に移行する。
【００９６】
このように、上述した実施の形態２によれば、クライアント端末１０２における操作行為の回数情報を計数して、ファイルサーバ１０１に送ることにより、ファイルサーバ１０１で一括して評価ポイントを算出することができる。
【００９７】
これにより、クライアント端末１０２のユーザが別途ファイルの評価に関する入力操作を行う必要がなく、ユーザの操作行為に応じたファイルの評価を自動的にアップロードすることができる。したがって、ファイルサーバ１０１には、各クライアント端末１０２からの評価ポイントが収集されるため、客観的なファイルの有効性をドキュメントを利用しようとする人に対して提供することができ、ファイル検索の効率化を図ることができる。
【００９８】
以上説明したように、上述した実施の形態によれば、有効なドキュメントを短時間で検索することができる。すなわち、利用度の高い有効なファイルを自動的に選定することができるシステムを構築することができる。このシステムを実現することにより、有効なドキュメントを見つける時間を大幅に削減することができる。
【００９９】
また、客観的かつ自動的にファイルの有効性を評価することができる。すなわち、ダウンロードされた後のファイルの状況（ファイルオープン，印刷，ペースト）を有効度の評価に自動的に変換することができる。これにより個人のスキルや利用目的に依存しない評価が可能になるため、ファイルを客観的に評価することができる。
【０１００】
また、ファイル評価のサンプル数を自動的に増加することができる。すなわち、クライアント端末１０２にダウンロードされたファイルステータスをドキュメントの有効性評価に変換する仕組みを実現するため、ファイルの有効性評価の自動化が可能となる。また評価数が人の意志に依存しなくなるため評価サンプル数を自動的に増やすことが可能となる。
【０１０１】
このことから、短時間に的確な情報の提示が可能になり、企業内の情報検索／情報適用に要するコストを大幅に削減することができる。特に、従業員の数が増加すればするほど適用効果も高くなる。
【０１０２】
また、企業内情報については分野に関係なくこのシステムを利用することができるためビジネス面の適用範囲は広い。したがって、よく利用される効果的なファイルの利用が可能になるため、企業内の情報利用の効率化を図ることができる。たとえば、提案書作成などのコスト削減が可能になる。
【０１０３】
なお、本実施の形態で説明したファイル評価方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【０１０４】
（付記１）ファイルサーバからダウンロードされたファイルがすでにオープンされたか否かを検出する検出手段と、
前記検出手段によって検出された検出結果に基づいて前記ファイルに関する評価ポイントを算出する算出手段と、
前記算出手段によって算出された算出結果を前記ファイルサーバに送信する送信手段と、
を備えることを特徴とするファイル評価装置。
【０１０５】
（付記２）前記検出手段によって検出された検出結果に基づいて前記ファイルのオープン回数を計数するオープン回数計数手段を備え、
前記算出手段は、
前記オープン回数計数手段によって計数されたオープン回数に基づいて前記ファイルに関する評価ポイントを算出することを特徴とする付記１に記載のファイル評価装置。
【０１０６】
（付記３）前記検出手段によって検出された検出結果に基づいて前記ファイル内のデータのペースト回数を計数するペースト回数計数手段を備え、
前記算出手段は、
前記ペースト回数計数手段によって計数されたペースト回数に基づいて前記ファイルに関する評価ポイントを算出することを特徴とする付記１または２に記載のファイル評価装置。
【０１０７】
（付記４）ファイルサーバからダウンロードされたファイルがすでにオープンされたか否かを検出する検出手段と、
前記検出手段によって検出された検出結果に基づいて前記ファイルのオープン回数を計数するオープン回数計数手段と、
前記オープン回数計数手段によって計数された計数結果を前記ファイルサーバに送信する送信手段と、
を備えることを特徴とするファイル評価装置。
【０１０８】
（付記５）前記検出手段によって検出された検出結果に基づいて前記ファイル内のデータのペースト回数を計数するペースト回数計数手段を備え、
前記送信手段は、
前記ペースト回数計数手段によって計数された計数結果を前記ファイルサーバに送信することを特徴とする付記４に記載のファイル評価装置。
【０１０９】
（付記６）ファイルサーバからダウンロードされたファイルがすでにオープンされたか否かを検出する検出手段と、
前記検出手段によって検出された検出結果に基づいて前記ファイル内のデータのペースト回数を計数するペースト回数計数手段と、
前記ペースト回数計数手段によって計数された計数結果を前記ファイルサーバに送信する送信手段と、
を備えることを特徴とするファイル評価装置。
【０１１０】
（付記７）クライアント端末からダウンロード要求されたファイルを前記クライアント端末に送信する送信手段と、
前記送信手段によって前記ファイルが前記クライアント端末に送信された結果、当該クライアント端末によって前記ファイルがオープンされたオープン回数を前記クライアント端末から受信する受信手段と、
前記受信手段によって受信されたオープン回数に基づいて前記ファイルに関する評価ポイントを算出する算出手段と、
を備えることを特徴とするファイル評価装置。
【０１１１】
（付記８）前記受信手段は、
前記送信手段によって前記ファイルが前記クライアント端末に送信された結果、当該クライアント端末によって前記ファイル内のデータがペーストされたペースト回数を前記クライアント端末から受信し、
前記算出手段は、
前記受信手段によって受信されたペースト回数に基づいて前記ファイルに関する評価ポイントを算出することを特徴とする付記７に記載のファイル評価装置。
【０１１２】
（付記９）クライアント端末からダウンロード要求されたファイルを前記クライアント端末に送信する送信手段と、
前記送信手段によって前記ファイルが前記クライアント端末に送信された結果、当該クライアント端末によって前記ファイル内のデータがペーストされたペースト回数を前記クライアント端末から受信する受信手段と、
前記受信手段によって受信されたペースト回数に基づいて前記ファイルに関する評価ポイントを算出する算出手段と、
を備えることを特徴とするファイル評価装置。
【０１１３】
（付記１０）ファイルサーバからダウンロードされたファイルがすでにオープンされたか否かを検出する検出工程と、
前記検出工程によって検出された検出結果に基づいて前記ファイルに関する評価ポイントを算出する算出工程と、
前記算出工程によって算出された算出結果を前記ファイルサーバに送信する送信工程と、
を含んだことを特徴とするファイル評価方法。
【０１１４】
（付記１１）ファイルサーバからダウンロードされたファイルがすでにオープンされたか否かを検出する検出工程と、
前記検出工程によって検出された検出結果に基づいて前記ファイルのオープン回数を計数するオープン回数計数工程と、
前記オープン回数計数工程によって計数された計数結果を前記ファイルサーバに送信する送信工程と、
を含んだことを特徴とするファイル評価方法。
【０１１５】
（付記１２）ファイルサーバからダウンロードされたファイルがすでにオープンされたか否かを検出する検出工程と、
前記検出工程によって検出された検出結果に基づいて前記ファイル内のデータのペースト回数を計数するペースト回数計数工程と、
前記ペースト回数計数工程によって計数された計数結果を前記ファイルサーバに送信する送信工程と、
を含んだことを特徴とするファイル評価方法。
【０１１６】
（付記１３）クライアント端末からダウンロード要求されたファイルを前記クライアント端末に送信する送信工程と、
前記送信工程によって前記ファイルが前記クライアント端末に送信された結果、当該クライアント端末によって前記ファイルがオープンされたオープン回数を前記クライアント端末から受信する受信工程と、
前記受信工程によって受信されたオープン回数に基づいて前記ファイルに関する評価ポイントを算出する算出工程と、
を含んだことを特徴とするファイル評価方法。
【０１１７】
（付記１４）クライアント端末からダウンロード要求されたファイルを前記クライアント端末に送信する送信工程と、
前記送信工程によって前記ファイルが前記クライアント端末に送信された結果、当該クライアント端末によって前記ファイル内のデータがペーストされたペースト回数を前記クライアント端末から受信する受信工程と、
前記受信工程によって受信されたペースト回数に基づいて前記ファイルに関する評価ポイントを算出する算出工程と、
を含んだことを特徴とするファイル評価方法。
【０１１８】
（付記１５）ファイルサーバからダウンロードされたファイルがすでにオープンされたか否かを検出させる検出工程と、
前記検出工程によって検出された検出結果に基づいて前記ファイルに関する評価ポイントを算出させる算出工程と、
前記算出工程によって算出された算出結果を前記ファイルサーバに送信させる送信工程と、
をコンピュータに実行させることを特徴とするファイル評価プログラム。
【０１１９】
（付記１６）ファイルサーバからダウンロードされたファイルがすでにオープンされたか否かを検出させる検出工程と、
前記検出工程によって検出された検出結果に基づいて前記ファイルのオープン回数を計数させるオープン回数計数工程と、
前記オープン回数計数工程によって計数された計数結果を前記ファイルサーバに送信させる送信工程と、
をコンピュータに実行させることを特徴とするファイル評価プログラム。
【０１２０】
（付記１７）ファイルサーバからダウンロードされたファイルがすでにオープンされたか否かを検出させる検出工程と、
前記検出工程によって検出された検出結果に基づいて前記ファイル内のデータのペースト回数を計数させるペースト回数計数工程と、
前記ペースト回数計数工程によって計数された計数結果を前記ファイルサーバに送信させる送信工程と、
をコンピュータに実行させることを特徴とするファイル評価プログラム。
【０１２１】
（付記１８）クライアント端末からダウンロード要求されたファイルを前記クライアント端末に送信させる送信工程と、
前記送信工程によって前記ファイルが前記クライアント端末に送信された結果、当該クライアント端末によって前記ファイルがオープンされたオープン回数を前記クライアント端末から受信させる受信工程と、
前記受信工程によって受信されたオープン回数に基づいて前記ファイルに関する評価ポイントを算出させる算出工程と、
をコンピュータに実行させることを特徴とするファイル評価プログラム。
【０１２２】
（付記１９）クライアント端末からダウンロード要求されたファイルを前記クライアント端末に送信させる送信工程と、
前記送信工程によって前記ファイルが前記クライアント端末に送信された結果、当該クライアント端末によって前記ファイル内のデータがペーストされたペースト回数を前記クライアント端末から受信させる受信工程と、
前記受信工程によって受信されたペースト回数に基づいて前記ファイルに関する評価ポイントを算出させる算出工程と、
をコンピュータに実行させることを特徴とするファイル評価プログラム。
【産業上の利用可能性】
【０１２３】
以上のように、本発明にかかるファイル評価装置、ファイル評価方法、およびファイル評価プログラムは、ファイルを管理するファイルシステムに有用であり、特に、文書ファイルを管理するファイルシステムに適している。
【図面の簡単な説明】
【０１２４】
【図１】この発明の実施の形態にかかるファイル評価システムのシステム構成図である。
【図２】図１に示したコンピュータ装置のハードウェア構成を示すブロック図である。
【図３】図１に示したファイルサーバの評価ポイントＤＢの記憶内容を示す説明図である。
【図４】実施の形態１にかかるファイル情報ＤＢの記憶内容を示す説明図である。
【図５】データペーストの検出処理を示す説明図である。
【図６】実施の形態１にかかるファイルサーバの機能的構成を示すブロック図である。
【図７】実施の形態１にかかるクライアント端末の機能的構成を示すブロック図である。
【図８】実施の形態１にかかるファイルサーバの動作処理手順を示すフローチャートである。
【図９】実施の形態１にかかるクライアント端末の動作処理手順を示すフローチャートである。
【図１０】実施の形態１にかかるファイル評価処理手順を示すフローチャートである。
【図１１】実施の形態２にかかるファイル情報ＤＢの記憶内容を示す説明図である。
【図１２】ファイルサーバの機能的構成を示すブロック図である。
【図１３】クライアント端末の機能的構成を示すブロック図である。
【図１４】実施の形態２にかかるファイルサーバの動作処理手順を示すフローチャートである。
【図１５】実施の形態２にかかるファイル評価処理手順を示すフローチャートである。
【符号の説明】
【０１２５】
１００  ファイル評価システム
１０１  ファイルサーバ
１０２  クライアント端末
１０３  ファイルＤＢ
１０４，４００，１１００  ファイル情報ＤＢ
１０５  評価ポイントＤＢ
６０１  ファイル抽出部
６０２  ファイル送信部
６０３  ポイント受信部
６０４  ポイント更新部
６０５  ポイント抽出部
６０６  ポイント送信部
７０１  ファイル取得部
７０２  検出部
７０３  オープン回数計数部
７０４  ペースト回数計数部
７０５  算出部
７０６  ポイント送信部
１２０１  回数情報受信部
１２０２  算出部
１２０３  ポイント更新部
【図１】
2007272620.tif 000003
【図２】
2007272620.tif 000004
【図３】
2007272620.tif 000005
【図４】
2007272620.tif 000006
【図５】
2007272620.tif 000007
【図６】
2007272620.tif 000008
【図７】
2007272620.tif 000009
【図８】
2007272620.tif 000010
【図９】
2007272620.tif 000011
【図１０】
2007272620.tif 000012
【図１１】
2007272620.tif 000013
【図１２】
2007272620.tif 000014
【図１３】
2007272620.tif 000015
【図１４】
2007272620.tif 000016
【図１５】
2007272620.tif 000017